(57)【要約】【課題】スピーカ装置をキャビネットにしっかり固定してもスピーカ装置が発生する振動がキャビネットに伝わりにくいようにする。【解決手段】フレーム部１００と、このフレーム部に取り付けられ電気信号を機械振動に変換する駆動源２００、３０４と、この駆動源に結合され前記機械振動に対応した音波を放射する振動板３００と、前記フレーム部の所定箇所（界磁部取付面）１０４に結合され前記フレーム部に結合される箇所から離れた場所にフランジ部４０４を持つ取付構造体（４００＋４０２＋４０４）とを具備している。この取付構造体は、前記振動板の振動方向に振動伝播抑制のためのコンプライアンスを持ち、前記振動板の振動方向と実質直交する方向にスピーカ装置の自重を支えることができるようなスチフネスを持つ。【選択図】  図１
2007151032.tif 000002
【特許請求の範囲】
【請求項１】
フレーム部と、
前記フレーム部に取り付けられ電気信号を機械振動に変換する駆動源と、
前記駆動源に結合され前記機械振動に対応した音波を放射する振動板と、
前記フレーム部の所定箇所に結合され、この所定箇所から離れた場所にフランジ部を持ち、前記振動板の振動方向に所定のコンプライアンスを持ち、前記振動板の振動方向と実質直交する方向に所定のスチフネスを持つ取付構造体とを具備したスピーカ装置。
【請求項２】
前記振動板の周囲のエッジに近接または接触する前記フレーム部の周囲部分は前記フランジ部から離れており、前記スピーカ装置が取り付けられるキャビネットへは、前記周囲部分でなく前記フランジ部を機械的に固定できるように構成された請求項１に記載のスピーカ装置。
【請求項３】
前記取付構造体は、前記フランジ部とともにバネ構造部および脚部を備えており、
前記バネ構造部は波形成形された形状を持ちその両端に第１端部および第２端部を持ち、前記第１端部は前記フレーム部の所定箇所に結合され、
前記脚部は一方端および他方端を持ち、その一方端は前記バネ構造部の第２端部に結合され、その他方端は前記フランジ部に結合され、
前記バネ構造部の前記波形成形された形状と前記バネ構造部の材質によって前記所定のコンプライアンスを設定できるように構成した請求項１または請求項２に記載のスピーカ装置。
【請求項４】
前記フレーム部には前記振動板と対向する部分に開口部が設けられ、この開口部を空間を隔てて前記取付構造体の一部分が覆うように構成された請求項１ないし請求項３のいずれか１項に記載のスピーカ装置。
【請求項５】
前記バネ構造部、前記脚部、および前記フランジ部がプラスティックまたは熱可塑性樹脂の一体成形で構成される請求項３に記載のスピーカ装置。
【請求項６】
前記取付構造体と前記フレーム部がプラスティックまたは熱可塑性樹脂の一体成形で構成される請求項１ないし請求項４のいずれか１項に記載のスピーカ装置。
【請求項７】
スピーカ取付部分を有するキャビネットと、前記スピーカ取付部分に取り付けられるスピーカ装置とを備えた電子機器において、前記スピーカ装置が、フレーム部と、前記フレーム部に取り付けられ電気信号を機械振動に変換する駆動源と、前記駆動源に結合され前記機械振動に対応した音波を放射する振動板と、前記フレーム部の所定箇所に結合されこの所定箇所から離れた場所にフランジ部を持ち前記振動板の振動方向に所定のコンプライアンスを持ち前記振動板の振動方向と実質直交する方向に所定のスチフネスを持つ取付構造体とを具備し、
前記所定のコンプライアンスは前記駆動源の機械振動が前記フレーム部に伝達されるのを抑えるような柔らかさに選ばれ、
前記所定のスチフネスは前記駆動源またはスピーカ装置全体の重量を支え得るような堅さに選ばれ、
前記所定のスチフネスを持つ方向に重力がかかるように前記スピーカ取付部分へ前記フランジ部を固定するように構成された電子機器。
【発明の詳細な説明】
【技術分野】
【０００１】
この発明は、電気信号を機械振動に変換するスピーカ装置の取付機構の改善に関する。特に、実使用時に大きな振動を連続して発生するスピーカを、振動を嫌う要素（高精細表示デバイス、高周波部品等）を持つキャビネットに取り付けて用いる場合に、スピーカの振動（音圧）がキャビネットあるいはキャビネット内の要素に伝達し難くする構造に関する。
【背景技術】
【０００２】
従来のスピーカ構造の場合、フレーム部とフランジ部は機械的に結合された形態で作成されており、振動板から発生した振動はこのフレーム部を機軸に振動する。それ故キャビネットへの固定部となるフランジ部にも同様に振動が伝達される（特許文献１または特許文献２のスピーカの構造参照）。
【特許文献１】特開平１０−０２３５９６号公報
【特許文献２】特開２０００−１５９０９１公報
【発明の開示】
【発明が解決しようとする課題】
【０００３】
特許文献１では、磁気回路を樹脂ケースに挿入し、樹脂フレームの根本部を樹脂ケースの開口部に螺合させる事により磁気回路を樹脂ケース内に固定し、樹脂ケースのフランジに円周方向の力で破断可能な破断部を設けると共に破断部の先のフランジ 部分を樹脂フレームに溶着するようにしている。また特許文献２では、熱可塑性樹脂を用いて射出成形を行い、ドーム部、ボイスコイル接合部、コーン部、フレーム貼付外周部を一体成形している。いずれの特許文献のスピーカ構造でも、発生した振動がフランジ部を介してキャビネットへ伝達され易い構造であることには変わりがない。
【０００４】
このような構造のスピーカの実装において、キャビネットへの振動伝達を抑制するためには、振動に対して内部損失を持ったダンピング部材（ゴム製のドーナツ状ブッシング等）をフランジ部に取り付け、このダンピング部材中を貫通するネジを用いてスピーカをキャビネットに固定することが考えられる。この場合、スピーカのフランジ部はダンピング部材を介してキャビネットへ機械的にネジ止めされることになる。しかしながら、比較的重い磁気回路を持つスピーカがキャビネットから外れない程度に強くネジ止めする必要があるため、ネジ止め箇所にダンピング部材（ゴム製ブッシング）を用いていても振動抑制効果は弱くなり、スピーカが大音量を発生する際はキャビネットが少なからず振動するようになる。
【０００５】
この発明の課題の１つは、スピーカ装置をキャビネットにしっかり固定してもスピーカ装置が発生する振動がキャビネットに伝わりにくいようにすることである。
【課題を解決するための手段】
【０００６】
この発明の一実施の形態に係るスピーカ装置（１０）は、フレーム部（１００）と、前記フレーム部に取り付けられ電気信号を機械振動に変換する駆動源（２００、３０４）と、前記駆動源に結合され前記機械振動に対応した音波を放射する振動板（３００）と、前記フレーム部の所定箇所（界磁部取付面１０４）に結合され前記フレーム部に結合される箇所から離れた場所にフランジ部（４０４）を持つ取付構造体（４００＋４０２＋４０４）とを具備している。
【０００７】
ここで、前記取付構造体（４００＋４０２＋４０４）は、前記振動板の振動方向に所定のコンプライアンス（振動板の振動方向に振動が伝播するのを抑制または低減するためのコンプライアンス）を持ち、前記振動板の振動方向と実質直交する方向（実質直交とは９０゜±α゜である程度のαを許容する）に所定のスチフネス（スピーカ装置の自重を支えることができるようなスチフネス）を持つ。
【０００８】
なお、この発明の一実施の形態において、前記所定のコンプライアンスにおける「所定」とは、このコンプライアンスとスピーカ装置（１０）の質量とで決まる機械共振周波数ｆｏが実使用時のスピーカ再生帯域下限以下となるようなコンプライアンスの大きさをさす（ｆｏは例えば２５±１５Ｈｚくらいが適当）。また、前記所定のスチフネスにおける「所定」とは、スピーカ装置をキャビネット等に取り付けた実使用状態において前記振動板の振動方向と実質直交する方向に重力が加わる場合に、前記駆動源（２００、３０４）またはスピーカ装置（１０）全体の重量（比較的大型のスピーカ装置ではｋｇオーダになることもある：通常のダイナミックスピーカではその全体重量の大半は駆動源を構成する磁気回路の重量となる）を支え得る堅さをさす。所定のコンプライアンスおよび所定のスチフネスは、実際に製造するスピーカ装置個々の設計段階において試作により決定できる。
【発明の効果】
【０００９】
ダンピング部材を用いることなくフランジ部を直接キャビネット等に強固に固定しても、スピーカ装置の駆動源から発生する機械振動（スピーカ装置の質量と取付構造体の振動方向コンプライアンスに対応した機械共振周波数ｆｏより上の周波数の機械振動）は取付構造体（図１の例ではバネ構造部）で大幅に減衰され、この振動がフランジ部からキャビネットに伝わるのを抑制できる。
【発明を実施するための最良の形態】
【００１０】
以下この発明の一実施の形態を図面を参照して説明する。図１は、この発明の一実施の形態に係るスピーカ装置１０の構成を説明する断面図である。このスピーカ装置１０は、大きく分けて、フレーム部１００と、界磁部２００と、振動系（３００〜３０６）と、取付構造体（４００〜４０４）とで構成されている。
【００１１】
ここで、振動系（３００〜３０６）は、円錐（または楕円若しくは矩形）型振動板３００と、エッジ３０２と、ボイスコイルボビンに巻かれたボイスコイル３０４と、ダンパー（スパイダー）３０６と、センターキャップ３０８で構成されている。また、取付構造体（４００〜４０４）は、平板を波形に成形した形状のバネ構造部４００と、脚部４０２と、フランジ部４０４をプラスティック（ＰＰ、ＰＥ、ＰＳ、ＡＢＳ等の熱可塑性樹脂）を一体成形したものである。
【００１２】
界磁部２００は、メインマグネット２０２と、トッププレート２０４と、ボトムプレートと一体化されたポールピース（センターポール）２０６と、キャンセルマグネット２０８（および必要に応じてマグネットカバー）で構成されている。
【００１３】
フレーム部１００は、断面台形の深皿形状をしており、その底面（界磁部取付面）１０４には中央にボイスコイルボビンが貫通する孔が空いている。この貫通孔とポールピース２０６が同軸配置されるように、界磁部取付面１０４に界磁部２００が接着および／またはネジ止め（若しくは溶接）される。また、フレーム部１００には、振動板３００が大振幅低音を発生する時の背圧を抜く開口部１０６が設けられている。
【００１４】
フレーム部１００では、ポールピース２０６とトッププレート２０４との間の磁気ギャップに非接触でボイスコイル３０４が配置されるように、ボイスコイルボビンがダンパー３０６により位置決めされ、かつ振動板３００が大振幅で振動してもボイスコイル３０４がポールピース２０６またはトッププレート２０４と擦れないようにエッジ３０２の外周部分がフレーム外周部１０２に接着される。その後、エッジ３０２の外周部分を挟むようにフレーム外周部１０２にガスケット１０８が取り付けられる。
【００１５】
フレーム部１００は、金属（鉄板等）あるいはプラスティック（ＰＰ、ＰＥ、ＰＳ、ＡＢＳ等の熱可塑性樹脂）で製作できる。フレーム部１００が金属の場合は、取付構造体の一部（図１では界磁部２００の左右にある波形バネ構造部４００の間の平板部分）を挟み込むようにして界磁部２００を界磁部取付面１０４へネジ止めするなどして、フレーム部１００に取付構造体（４００〜４０４）を固定する。
【００１６】
フレーム部１００が取付構造体（４００〜４０４）と同じプラスティック（熱可塑性樹脂）の場合は、フレーム部１００および取付構造体（４００〜４０４）は同じ材料（ＡＢＳ等の熱可塑性樹脂）で一体成形できる。この場合は一体成形の金型が相対的に複雑になるが、量産すればフレームと取付構造体を一体成形した方がローコストとなることが期待できる。
【００１７】
なお、フレーム部１００および取付構造体（４００〜４０４）の材料が何であれ、またフレーム部１００および取付構造体（４００〜４０４）が一体成形されているか別ピースであるかを問わず、フレーム外周部１０２とフランジ部４０４は構造上分離されている。
【００１８】
図１のスピーカ装置１０では、振動板３００は、バネ性（コンプライアンス）を持ったエッジ３０２及びダンパー３０６に支えられてポールピース２２０６の長手方向でピストン振動を行う事ができる。この振動を発生させるのが、界磁部２００にて形成された磁界に直交する方向の電流を流すボイスコイル３０４である。このボイスコイル３０４に電流を流すことにより、振動板３００を振動させることができる。ガスケット１０８は、エッジ３０２の剥がれを防ぎ、且つフレーム部１００とキャビネット（図４または図５の１２）と間の隙間を埋め、振動板３００から発生した音響エネルギー（特に低音域のエネルギー）を前方へと導く効果を持ち合わせる。この実施の形態においては、ガスケット１０８を例えばウレタンフォームのようなスポンジ構造物にて形成する事により、隙間を埋め且つフレーム部から発生した振動の伝達を抑制する効果が得られる。
【００１９】
図１のスピーカ装置１０の構造において、ボイスコイル３０４にて発生した振動エネルギーは振動板３００を動かして電気入力を音響エネルギーへと変換されるが、その際、振動板３００はフレーム部１００を機軸として振動を行う。このため、振動板３００のエネルギーと相反するエネルギー（振動板振動の反作用）がフレーム部１００に発生する。本来はこのエネルギーを強固に固定したフランジ部４０４でキャビネット（図４または図５の１２）等に逃がすのだが、それではキャビネット含めた構造物（表示デバイス、電子回路等）に振動エネルギーが伝播し、異音や他の影響（例えばチューナー等のコイルを揺さぶり、チューニングをずらす等）が発生する。
【００２０】
これを防ぐためには、通常フランジ部４０４にダンピング部材（ゴムブッシュ等）を用いてその伝播を低減させることができる。しかし、ダンピング部材の損失量が大きすぎると振動板３００自体の振動量（特に低域の振動）が低減（フレーム部１００の動きが大きくなり、本来振動させるべき振動板３００が空気抵抗により動かなくなり、その分フレーム部１００を動かす状況になり、そのエネルギーをダンピング部材で吸収するような形態となる）し、音の変換量が激減する。
【００２１】
また、このダンピング部材を硬く（損失量を少なく）すると、キャビネットへの振動伝播量が大きくなり、異音発生や内部部品（前記の例ではチューナーコイル等）への影響を防ぐという目的にそぐわなくなる。このためダンピング部材の特性はスピーカ特性に合わせてチューニングが必要となるが、このチューニングは一般的に材料特性によるため、細かなチューニングは困難な状況である。
【００２２】
これに対して、図１に示すような構造では、特にバネ構造部４００がプラスティック成型による面を大きく取ったバネ構造の場合、振動板３００が小振幅時はフレーム部１００を固定させ、振動板３００の振幅量が大きくなるとフレーム部１００の振動量をこのバネ構造部４００が吸収し、フランジ部４０４への振動の伝播を低減することが可能となる。これらはバネ構造部４００等に用いる材料（プラスティック等）と、バネ構造（波数、波のピッチ、波の高さ等の形状／寸法）、及びそのバネ構造部分の厚みおよび／または幅等でコントロールすることが可能となり、スピーカ装置１０の仕様に合わせた理想的な振動抑制効果をもたらすことが可能となる。
【００２３】
また、金属のようにリジッドではなくある程度の柔軟性をもったプラスティック（熱可塑性樹脂）の一体成型により、本来このような構造で難しいガスケット１０８部分とキャビネットの取付位置関係（図５の例ではキャビネット１２の取付ボス５０１等の位置とフランジ部４０４の取付ネジ６０１等の位置との関係）についても、そのずれの影響を低減することが可能となる。すなわち、図１のような構造のスピーカ装置１０キャビネット１２等へ取り付ける際の位置合わせも容易となる（位置ずれがあってもバネ構造部が柔軟に動けるので、フランジ部４０４の取付孔位置が多少ずれていても、その取付孔位置を取付ボス５０１等の位置に強引に合わせることが簡単に行える）。
【００２４】
図２は、この発明の一実施の形態に係るスピーカ装置１０の外観を例示する斜視図である。このスピーカ装置１０は、フレーム部１００とフランジ部４０４、及びその間のバネ構造部４００をプラスティック（熱可塑性樹脂）による一体成型にて形成したスピーカである。この場合、バネ構造部４００は取り付けのフランジ部４００に対して界磁部２００とフレーム部１００を支え、且つバネ構造部４００を図示するように幅広に取る（振動板３００の振動方向と直交する方向のスチフネスが大きくなる）ことにより、フレーム部１００や界磁部２００のローリング（図２の場合、紙面手前と紙面奥方向における、振動時や取り付け時のブレ）を抑えることが可能となる。
【００２５】
また、この広く取ったバネ構造部４００の面は、フレーム部１００に開けられた開口部（図１または図３の１０６）を通って振動板３００の背面から放出される空気振動の直接放射を緩和し、振動板背面の空気振動による他への影響（振動に対してデリケートなキャビネット内の電子部品への影響等）を緩和する他、振動板３００の背面圧を適切に制御し大振幅時の振動抑制（スピーカの最低共振周波数におけるＱダンプ等）にも寄与する。
【００２６】
図２のスピーカ装置１０の構造では、従来ならフレーム部分の両サイドの延長線上にフランジ部があるスピーカ構造を止め、フランジ部分４０４をそのフレーム部１００より切り離し、バネ構造部４００を介在させてスピーカ装置本体（界磁部２００とフレーム部１００）に接合させる構造をもつ。
【００２７】
界磁部２００とフレーム部１００は、振動板３００を保持しかつ振動させる目的から切り離すことができない。そこで、これらを接合させた構造体（２００＋１００）にバネ構造部４００を接合させ、且つこのバネ構造部４００の先にこのスピーカ装置本体をキャビネット等に固定させるフランジ部４０４を設ける。また、この構造は、フレーム部１００とバネ構造部４００、及びフランジ部４０４をプラスティック成型で作成する事により一体成型が可能となる。
【００２８】
図３は、図２の構成例においてバネ構造部の脚の下に覆われているフレーム開口部１０６の作用を説明する図である。この開口部１０６は、振動板３００が振動した際に振動板背面の空気の逃げ道を作るために設けられている。
【００２９】
この開口部１０６が無いと、振動板背面とフレーム部１００で形成される空間の空気圧により振動板３００の振動が抑制され、特に低音域の空気振動の大きい振幅が取れなくなる。この実施の形態では、開口部１０６上にある程度の間隔をおいて空気の逃げ道を用意した覆い（バネ構造部４００とその脚部４０２）を設ける事により、開口部１０６からの空気振動の直接放射を緩和し、他の物への影響を抑制する効果がある。また、非常に大きな低音入力の際に発生する大振幅音波の空気流には、このバネ構造部４００（および／または脚部４０２）が障害物となる。すると、振動板３００の背面に対し開口部１０６を介してある程度の空気制動がかかり、振動板３００を支えるダンパー３０６やエッジ３０２への負担を軽減する作用も得られる。
【００３０】
図４は、この発明の一実施の形態に係る電子機器（図１のスピーカ装置１０が取付られる薄型デジタルＴＶ）の概観を説明する図である。図１において、テレビジョン放送受信装置（この発明に係るスピーカ装置１０を装着できる電子機器）１１は、主として、装置本体となるほぼ四角形状に形成された薄型のキャビネット１２と、このキャビネット１２を起立させて支持するスタンド１３とから構成されている。キャビネット１２には、その正面に、例えば平面型液晶表示パネル（ハイビジョン対応高精細パネル：大きな振動が加わることは望ましくない精密デバイス）等でなる映像表示器１４の表示領域が露出されるとともに、一対のスピーカ装置１０、操作部１６、リモートコントローラから送信される操作情報を受けるための受光部１８等が配置されている。
【００３１】
また、スタンド１３はほぼ薄型の箱状に形成されており、その一方の平面である底面板を、水平に設置された所定の基台（図示せず）上に載置するように構成されている。そして、このスタンド１３は、上記基台上に載置される面と反対側の面である上面板のほぼ中央部から上方に突出する支持部材がキャビネット１２の背面に連結されることにより、キャビネット１２を起立させた状態で支持している。ここで、スタンド１３は、その内部に後述するＨＤＤユニット（および／またはＤＶＤビデオレコーダユニット）２０を収容可能に構成されている。そして、このスタンド１３の上面板には、キャビネット１２よりも正面側にせり出している部分に、ＨＤＤユニット（および／またはＤＶＤビデオレコーダユニット）２０を記録、再生、停止状態等に制御するための、押圧操作可能な複数の操作子が配置されている。このＨＤＤユニット（および／またはＤＶＤビデオレコーダユニット）２０も、スピーカからの大きな振動はなるべく避けたい電子デバイスの１つである。またテレビジョン受信装置は微小レベルの高周波信号を受信するチューナを搭載しており、このチューナも大きな振動をなるべく避けたい電子デバイスである。
【００３２】
図５は、図４の機器内部（キャビネット１２内）において図１のスピーカ装置１０がどのように取り付けられるかの一例を説明する図である。このスピーカ装置１０の構造は、重力のかかる方向に関して、キャビネット１２への取り付け方に条件がある。すなわち、フレーム部１００をキャビネット１２へ強固にネジ止めすることは、振動伝播防止の観点からできない。また、図１を参照して説明したように、界磁部２００は、マグネット、トッププレート、ポールピース等の重量物で構成されていることから、比較的重い。そのため、図５のスピーカ装置を、ネジ６０１〜６０４によりフランジ部４０４の取付孔を介してキャビネット１２の取付ボス５０１、５０２、…へネジ止めした場合、界磁部２００の重量で、バネ構造部４００が斜めに傾がないことが必要となる。
【００３３】
上記要求は、重力がかかる方向が図５の紙面上下方向であれば、図示のような取付方で、満たされる。すなわち、図５のようにキャビネット１２に取り付けられたスピーカ装置において、図１の振動板３００の振動方向に対しては図５のバネ構造部４００はその波形成形部分で大きなコンプライアンスを持つため、フレーム部１００の界磁部取付面（１０４）における音声振動はフランジ部４０４へは殆ど伝わらない。また、図１の振動板３００の振動方向と実質直交する方向（実質直交とは９０゜±α゜である程度のαを許容する：図５では紙面上下のバネ構造部４００の幅広方向）にスピーカ装置（少なくとも界磁部２００）の自重を支えることができるようなスチフネスがあるので、界磁部２００が自重で斜めに傾がない（その際、図１のガスケット１０８が図５のキャビネット１２の一部に軽く当接しておれば、この傾ぎはさらに起き難くなる）。
【００３４】
また、フランジ部４０４から界磁部２００の取付面（１０４）に至るまでのバネ構造部４００は、その部分の大きなコンプライアンスにより容易に弾性変形できる。そのため、仮に図５の右側フランジ部４０４をキャビネット１２の図示しない取付ボスに図５のネジ６０３と６０４でネジ止めしたあと、図５の左側フランジ部４０４のネジ孔が取付ボス５０１および５０２の位置から左右いずれかにずれてしまっても、このずれは（フランジ部４０４のネジ孔位置を多少強引にボス位置にずらすことで）容易に補正できる。
【００３５】
なお、上記実施の形態では、バネ構造部４００との一体成形を実現する観点からフレーム部１００にプラスチック（熱可塑性樹脂）を用いている。しかし、この一体成形をしない場合は、フレーム部１００は鉄板等の金属フレームでもよい。この場合、バネ構造部４００＋脚部４０２＋フランジ部４０４はフレーム部１００とは別ピースで製作しておく。そして、フレーム部１００に界磁部２００を取り付ける際に、左右のバネ構造部４００の間をフレーム部１００の界磁部取付面１０４と界磁部２００とで挟み込んで固定すればよい（固定方法には、接着、溶接、ネジ止め等を適宜選択できる）。
【００３６】
＜この発明の一実施の形態による効果＞
<1>フレーム部とフランジ部、及びその間のバネ構造部をプラスティックによる一体成型が可能；
<2>バネ構造部は取り付けのフランジ部に対して界磁部とフレーム部を支え、且つバネ構造部を幅広く取ることにより、フレーム部や界磁部のローリング（振動時や取り付け時のブレ）を抑えることが可能；
<3>幅広く取ったバネ構造の面は、フレームに開けられた開口部を通る振動板背面からの空気振動の直接放射を緩和し、振動板背面の空気振動による他への影響を緩和できる；
<4>上記<3>の構造は、振動板の背面圧を制御し大振幅時の振動抑制にも寄与するため、低音音圧出力特性にラウドネス効果をもたらすことが可能となる（小音量時は振動板振幅が小さいので上記振動抑制の程度が小さいが、大音量では振動抑制の程度が大きい）。
【００３７】
＜この発明の一実施の形態に係るスピーカ装置（図１）のまとめ＞
フランジ部４０４とフレーム部１００を切り離し、フランジ部４０４とそのスピーカ主要部（２００＋３００）側の接合部１０４との間に、スピーカ主要部（２００＋３００）で発生する振動がフランジ部４０４に伝播するのを抑制するバネ性の構造部４００を持たせる（スピーカ装置）。
【００３８】
フランジ部４０４とスピーカ主要部（２００＋３００）との間に設けられたバネ構造部４００に関して、フランジ部４０４、脚部４０２、バネ構造部４００、およびフレーム部１００をプラスティック成型にて一体構造とする（スピーカフレーム）。
【００３９】
なお、この発明は前述した実施の形態に限定されるものではなく、現在または将来の実施段階では、その時点で利用可能な技術に基づき、その要旨を逸脱しない範囲で種々に変形することが可能である。例えば、図１では振動板にコーン紙を用いたダイナミックスピーカにこの発明に係るバネ構造部を設けているが、平面振動板を用いたスピーカのフレームにこの発明に係るバネ構造部を設けることもできる。また、この発明に係るバネ構造部を適用できるスピーカ装置の振動板駆動原理は、磁界中の導体に電流が流れることにより生じる力を利用するもの（広義のダイナミックスピーカ）に限られず、クーロン力を利用したもの（コンデンサスピーカ）や圧電素子を利用したもの（クリスタルスピーカ）でもよい。とはいえ、大きな振動パワーが出やすいのはダイナミックスピーカなので、スピーカの振動がキャビネットに伝わることによる弊害を抑える観点から見れば、この発明に係るバネ構造部は、ダイナミックスピーカに適用されるのが一般的といえる。
【００４０】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００４１】
【図１】この発明の一実施の形態に係るスピーカ装置の構成を説明する断面図。
【図２】この発明の一実施の形態に係るスピーカ装置の外観を例示する斜視図。
【図３】図２の構成例においてバネ構造部の脚の下に覆われているフレーム開口部の作用を説明する図。
【図４】この発明の一実施の形態に係る電子機器（図１のスピーカ装置が取付られる薄型デジタルＴＶ）の概観を説明する図。
【図５】図４の機器内部において図１のスピーカ装置がどのように取り付けられるかの一例を説明する図。
【符号の説明】
【００４２】
１１…テレビジョン放送受信装置、１２…キャビネット、１３…スタンド、１４…映像表示器、１０…スピーカ装置、１００…フレーム部、１０２…フレーム外周部、１０４…界磁部取付面、１０６…開口部、１０８…ガスケット、２００…界磁部、２０２…メインマグネット、２０４…トッププレート、２０６…ポールピース、２０８…キャンセルマグネット、３００…振動板、３０２…エッジ、３０４…ボイスコイル、３０６…ダンパー（スパイダー）、３０８…センターキャップ、４００…バネ構造部、４０２…脚部、４０４…フランジ部。
【図１】
2007151032.tif 000003
【図２】
2007151032.tif 000004
【図３】
2007151032.tif 000005
【図４】
2007151032.tif 000006
【図５】
2007151032.tif 000007